(57)【特許請求の範囲】
【請求項１】
一連のリンクからなるアイテムを作成するためのキットであって、
ベースと、
ベース上にサポートされた少なくとも１つのピンバーであって、ピンバーは、各々がリンクを望ましい向きに保持するための上部フレアー状部分を含んだ複数のピンと、複数のピンの各々の前面上のアクセス溝を含むものと、
を含むキット。
【請求項２】
ピンバーとベースは、ピンバーをベースにしっかり取り付けるための対応する特徴を含む、請求項１記載のキット。
【請求項３】
ベースは、複数のピンの各々内に規定された載置開口部内に受け取り可能な複数の嵌合構造であって、干渉フィットを規定する嵌合構造と載置開口部の各々の間のインターフェースをもったものを含む、請求項２記載のキット。
【請求項４】
嵌合構造の各々は直立に伸長した円筒を含み、載置開口部は、円筒の対応する１つを受け取るように丸みがある、請求項３記載のキット。
【請求項５】
複数のピンの各々は、上部フレアー状部分から離された下部フレアー状部分と、リンクを保持するための中央部分を含む、請求項１記載のキット。
【請求項６】
ベースは、一連のリンクを望ましいパターンに形成するために、望ましい相対的な特別な方向に複数のピンバーをしっかり取り付けるための複数のベースを含む、請求項１記載のキット。
【請求項７】
ベースはタブを含み、複数のピンバーの各々は、ベースに対しておよび複数のピンバーの他のものに対して複数のピンバーの各々を揃えるための対応するスロットを含む、請求項６記載のキット。
【請求項８】
リンクの一端を捕捉するためのアクセス溝中に伸長するように適応されたフックを含む、請求項１記載のキット。
【請求項９】
一連のリンクの端部を一緒にしっかり留めるためのクリップを含む、請求項１記載のキット。
【請求項１０】
一連のリンクは、一連の弾性バンドを含む、請求項１記載のキット。
【請求項１１】
一連のリンクは、一連のブルニアンリンク(Brunnian link)を含む、請求項１記載のキット。
【請求項１２】
リンクされたアイテムを作成する方法であって、
少なくとも２つの隣接するピンの間に望ましい相対的な特別な関係を規定するように、複数のピンを含んだ少なくとも1つのピンバーをベースにサポートするステップと、
少なくとも２つの弾性バンドを隣接するピンに跨って組み立てるステップと、
弾性バンドの一端を捕捉し、別の弾性バンドと係合している間にその端部を隣接するピン上まで引っ張るステップと、
望ましいリンクの長および構成が得られるまで、後続する端部を捕捉して引っ張るステップと、
を含む方法。
【請求項１３】
少なくとも２つの弾性バンドの２つ目は、共通のピン上で、少なくとも２つの弾性バンドの１つ目の一端の真上に置かれる、請求項１２記載の方法。
【請求項１４】
弾性バンドの一端を捕捉することは、一番上の弾性バンドの下まで伸びて、フックツールで一番下の弾性バンドを掴むように、ピンのアクセス溝中まで届くフックツールを使うことを含む、請求項１３記載の方法。
【請求項１５】
ピンの平行な列を提供するように、複数のピンバーをベースに組み立てることを含む、請求項１２記載の方法。
【請求項１６】
ピンの望ましいパターンを規定するように、複数のピンバーを対応する複数のベースに組み立てるステップを含む、請求項１５記載の方法。
【請求項１７】
別のピンバーのピンの間に伸長する少なくとも１つの弾性バンドを含んで、望ましいパターンにある複数の弾性バンドを、複数のピンバー上で組み立てることを含む、請求項１５記載の方法。
【請求項１８】
リンクされたアイテムを形成するように、弾性バンドの端部をクリップ中に挿入するステップを含む、請求項１５記載の方法。
【発明の詳細な説明】
【技術分野】
【０００１】
[関連出願へのリファレンス]この出願は、２０１０年１１月５日に出願された米国仮出願番号61/410,399の優先権を主張する。
【０００２】
この開示は全体的に、リンクされたアイテムを作成するための方法とデバイスに関する。より特定には、この開示は、リンクされた装着可能なアイテムを弾性バンドから作成するための方法とデバイスに関する。
【背景技術】
【０００３】
独自に色付けされたブレスレットまたはネックレスを作るための材料を含むキットは、常にいくらかの人気を博してきた。しかしながら、そのようなキットは通常、異なる色に色付けされた糸およびビーズのような原材料を含むだけで、使用可能で望ましいアイテムを構築することは個人の技量と才能に依存する。従って、独自の装着可能なアイテムを作成するための材料を提供するのみでなく、望ましく耐久性のある装着可能なアイテムを成功裡に作成することを多くの技量および芸術的レベルの人々にとって容易するするように構築を簡略化もするキットについての必要と願望がある。
【発明の概要】
【０００４】
ブルニアンリンク(Brunnian link)とは、チェインを形成するために、別の閉じたループを捕捉するようにそれ自体上で二重化された閉じたループから形成されたリンクである。そのようなリンクを望ましいやり方で形成するのに、弾性バンドが利用されることができる。例示的キットおよびデバイスは、複雑な構成のブルニアンリンク物品の作成を提供する。しかも、例示的キットは、ブルニアンリンク組み立て技術を使って独自の装着可能な物品の成功する作成を提供する。
【０００５】
例示的キットは、少なくとも１つのベースによって望ましい特別な向きにサポートされたいくつかのピンバーを含む。望ましい特別な方向は、完成品の望ましいリンクされた構成に依存する。ベースとピンバーは、完成されたリンクの向きの無尽のバリエーションを提供するように、様々な組み合わせおよび向きに組み立てられ得る。しかも、可能な完成品の作成を更に拡張するために、追加のベースとピンバーが追加されることができる。
【０００６】
ピンバーの各々は、弾性バンドをその場に保持するためのフランジ状の上部部分と、前方アクセス溝を含む。前方アクセス溝は、ブルニアンリンクを形成するために、より下のバンドが掴まれて隣接するバンドの上で引っ張られることができるように、一番上の弾性バンドの下にフックが挿入されることを提供する。開示されたキットは、隣接するピンの多くの可能な向きと、従って完成されたリンクされた物品についての異なる向きおよびデザインを提供する。
【０００７】
ここに開示されたこれらおよびその他の特徴は、以下の明細書および図面から最も良く理解されることができ、以下はその簡単な説明である。
【図面の簡単な説明】
【０００８】
【図１】図１は、ブルニアンリンク物品を作成するための例示的キットの斜視図である。
【図２】図２は、ブルニアンリンク物品の概略図である。
【図３】図３は、一連のブルニアンリンクの概略図である。
【図４】図４は、例示的ピンバーの斜視図である。
【図５Ａ】図５Ａは、例示的ベースと例示的ピンバーのインターフェース表面の斜視図である。
【図５Ｂ】図５Ｂは、例示的ベースに載置されたピンバーの斜視図である。
【図６】図６は、例示的ピンバーの１つのピンの斜視図である。
【図７】図７は、１つの例示的ピンの前面図である。
【図８】図８は、例示的ピンの側面図である。
【図９】図９は、例示的ピンの上面図である。
【図１０Ａ】図１０Ａは、例示的ベースの斜視図である。
【図１０Ｂ】図１０Ｂは、別の例示的ベースの斜視図である。
【図１１Ａ】図１１Ａは、例示的ベースの底面図である。
【図１１Ｂ】図１１Ｂは、別の例示的ベースの底面図である。
【図１２】図１２は、いくつかのピンバーに組み立てられたいくつかのベースの組み立て図である。
【図１３】図１３は、１つの望ましい特別な向きにお互いに対して載置されたいくつかのピンバーの組み立て図である。
【図１４Ａ】図１４Ａは、ブルニアンリンクされた物品を作成するための組み立てステップの斜視図である。
【図１４Ｂ】図１４Ｂは、ブルニアンリンクされた物品を作成するための組み立てステップの斜視図である。
【図１４Ｃ】図１４Ｃは、ブルニアンリンクされた物品を作成するための組み立てステップの斜視図である。
【図１５】図１５は、ブルニアンリンクされた物品の繋がれていない端部をしっかり留めるための例示的クリップの平面図である。
【図１６】図１６は、例示的クリップでしっかり留められた弾性バンドを描いた斜視図である。
【図１７】図１７は、望ましい特別な向きにピンバーを保持するための例示的ベーステンプレートの斜視図である。
【図１８】図１８は、例示的ベーステンプレートの底面図である。
【図１９】図１９は、２つのベーステンプレートの横並びの取り付けの斜視図である。
【図２０】図２０は、２つのベーステンプレートのエンドツーエンドの取り付けの斜視図である。
【発明を実施するための形態】
【０００９】
図１を参照すると、図２に示されたブレスレット、ネックレスおよびその他の装着可能なまたは装飾的なアイテムのようなブルニアンリンクアイテムを作成するための例示的キットが１０で指し示されている。
【００１０】
図３を参照すると、ブルニアンリンク２０が、実際の結び目を形成することなく、連続的なループ状構造から形成されている。いくつかのリンクが、円形構造を形成するようにチェインに形成されている。端部がそれからしっかり留められて、耐久性のある装着可能なアイテムが作成される。この例では、３つの閉じたループ状のゴムバンドのような弾性アイテム２０が単一のチェインを形成しているのが示されている。各リンクは、系列中の別のループ構造の中央部分２４で１つのループ構造の端部２２を捕捉することによって形成される。各リンクは、望ましい形状と一体性を維持することを前および後続のリンクに依存する。１つのリンク２０を取り除くことは、全てのリンクがお互いからはずれるようになることに結果としてなる。
【００１１】
図１を参照すると、例示的キット１０は、その各々が複数のピン２６を含むピンバー１４をサポートするベース１２を含む。フックツール１６が、バンドを１つのピン２６から別のものへ掴んで動かすために含まれている。クリップ１８は、リンクされたアイテムを完成してしっかり留めるために完成したリンクの端部を受け取る。ピンバー１４と対応するピン２６を望ましい揃えでサポートするために、示されたように１つまたはいくつかのピンバー１４がいくつかのベース１２に載置されている。この例では、中央のピンバー１４が、２つの最も外側のピンバー１４から１つ先にされている。この揃えは、望ましいリンクされたアイテムの作成を提供する。この例では、ピンバー１４を望ましい相対的な向きにサポートするために、３つのベース１２が利用されている。
【００１２】
引き続き図１を参照しながら、図４、５Ａ−Ｂを参照すると、ベース１２は、ピンバー１４の各ピン２６の底部において規定された対応する開口部３０内に受け取られる複数の直立に伸長する円筒２８を含む。ベース１２の円筒２８と円筒２８を受け取っている開口部３０は、ピンバー１４をその場に保持するための僅かな干渉フィットを規定する嵌合特徴である。３つのベース１２がこの例では示されているが、追加の数のピンバー１４をサポートするのにより少なくかまたはより多くが利用されることができる。
【００１３】
ベース１２は、円筒２８の間に配置された、ピンバー１４上に規定された対応するスロット３４内にフィットするタブ３２を含む。タブ３２とスロット３４の間のインターフェースが、揃えを提供し、ピンバー１４の直立した向きを維持する。ピン２６の各々は、ベース１２の円筒２８の間に規定されたボス３７を受け取る前方スロット３６を含む。前方スロット３６とボス３７のインターフェースは、ピンバー１４をベース１２上に更に揃えてサポートする。
【００１４】
ピンバー１４は、単一の列に規定された複数のピン２６を有する一体構造である。ピン２６の各々は等距離Ａの間隔を空けられている。ピン２６の各々は、フランジ状上部３８と前方アクセス溝４０を含む。
【００１５】
図６、７、８および９を参照すると、各ピン２６は、バー部分４２から上向きに伸長し、ゴムバンドを保持して間隔を空けるための特徴を含む。各ピン２６は、リンクの作成中にゴムバンドの誤った開放を防止するために外向きにフレアー状になったフランジ状上部３８を含む。アクセス溝４０は、ピン２６の中心に向けて内向きに伸長する縦方向の溝である。アクセス溝４０は、バー部分４２からフランジ状上部３８との開放端まで伸長する。溝４０は、ピン２６の間でゴムバンドの端部を動かすために利用されるフックツール１６（図１）の挿入のための間隙を提供する。
【００１６】
ピン２６の各々は、中央部分４６の直径から外向きにフレアー状になった下部部分４４を含む。ピン２６の中央部分４６は、組み立て中にゴムバンドがしっかり留められるところである。下部部分４４は、ゴムバンドがバー部分４２に対して下向きに滑るのを防止するために外向きにフレアー状である。上部および下部のフレアー状部分３８、４４は、組み立て中に望ましい揃えを提供するように、ゴムバンドが中央部分４６を中心とするようにする。フランジ３８のエッジは、鋭いエッジまたは表面を排除するように丸みをおびさせられている。
【００１７】
図１０Ａおよび１１Ａを参照すると、例示的ベース１２は、お互いから等距離に間隔を空けられた３つの円筒２８の３つの列を含む。タブ３２とボス３７が、ピンバー１４上に形成された対応するスロット３４と３６内に受け取られる。ピンバー１４のための更なる横方向のサポートを提供するために、スタビライザー５０が円筒２８の各列の間に配置されている。
【００１８】
図１０Ｂおよび１１Ｂを参照すると、別の例示的ベース１２’は、お互いから等距離に間隔を空けられた６つの円筒２８の３つの列を含む。より大きな例示的ベース１２’によって提供された追加の円筒２８は、同じ数のベース１２’で追加のピンバー１４の載置を提供する。分かる通り、ピンバー１４についての様々な載置構成を提供するあらゆる数の円筒２８の行および列をもったベースを提供することが、この開示の想定内である。
【００１９】
図１２および１３を参照すると、ベース１２が、望ましいパターンといくつかのピンバー１４の間の均等な間隔を設定するのに利用される。従って、ベース１２の各々は、１つまたはいくつかのピンバー１４と係合することができる。ベース１２は、縦方向に３つのピンバー１４と係合し受け取ることができ、および／または１つのベース１２によって提供された３つを超えて追加のピンバーを追加するように、ピンバーのグループのサイドに追加されても良い。図１２は、３つのベースが３つのピンバー１２をサポートし、２つの追加のベース１２が１つの列だけで現行のピンバー１４と係合されて、円筒２８の２つの列が追加のピンバー１４を受け取るように横方向に伸長するようになっている構成を描いている。図１３は、図１２に示されるように横方向に伸長されている追加のベース１２によって提供される５つのピンバー１４が横並びに揃えられている構成を描いている。分かる通り、追加のベースおよびピンバー１４が追加できる程度と可能な構成は、開示されたキットのユーザの望みによってのみ制限される。ピンバー１４の追加は、キットのユーザの想像力によってのみ制限される、より独自で込み入ったデザインを提供する。
【００２０】
図１４Ａ−Ｃを参照すると、例示的キットによって提供されるブルニアンリンクを形成する方法は、弾性バンドを隣接するピン２６上に装填する最初のステップを含む。この例では、一番右の端部で始まって各ゴムバンドが隣接するピンに渡って引き伸ばされ中央部分において保持される。第１の弾性バンド５２が、隣接するピン２６の第１のペアの間に置かれる。第２の弾性バンド５４がそれから、前に組み立てられた第１の弾性バンド５２の一端の上に置かれ、それから第３の弾性バンド５６等々、望ましい数のゴムバンドが対応するピンバー１４上に置かれるまで、となる。これらの例では、３つの弾性バンド５２、５４および５６のみが説明の目的で示されているが、実際には、完成品の望ましい長さを提供するために多くの弾性バンドが利用され得ることに注意されたい。
【００２１】
一旦弾性バンド５２、５４および５６がピン２６の各々の上に置かれると、フック１６が、アクセス溝４０中に挿入され、一番上の弾性バンド５６を通り過ぎて下向きに動かされる。フック１６はそれから、弾性バンド５４の一端がフック端中に捕捉されることを許容するのに十分な距離だけ矢印５８によって指し示された方向に溝から外向きに動かされる。更なる持ち上げは、図１４Ｂに示されるように別の隣接するピン２６上での組み立てのために第３の弾性バンド５６の端部を通して６０によって指し示された方向に第２の弾性バンド５４の捕捉された端部を引っ張り上げる。捕捉された端部は、フランジ状上部３８の上を越えて引っ張り上げられ、隣接するピン上に引っ張り戻されて、単一のリンクを形成する。弾性バンド５４の捕捉された端部はそれから、隣接するピン２６と係合するように開放される。このプロセスが、望ましい長さのリンクのチェインが得られるまで繰り返される。
【００２２】
図１４Ａ、１４Ｂおよび１４Ｃに描かれた例は、リンクの単一の列から形成されたチェインを描いている。リンク構成および組み合わせの幅広い種類を形成するように、例示的ベーステンプレート１２は多くのピンバー１４をサポートするように配列されることができ、従ってリンクは隣接するピンバー１４に跨って縦方向および横方向に形成されることができる。
【００２３】
図１５および１６を参照すると、一旦リンクが作成されると、作り上げられたリンクのチェインが元に戻らないように端部をしっかり留めるのに、クリップ１８が使われる。クリップ１８は、内部エリア６１内に弾性バンド６４の端部を捕捉する内向きに対向する端部６２をもった、実質的にＣ字形状である。
【００２４】
図１７−２０を参照すると、６つのピンバー１４を望ましい向きに保持するための例示的ベーステンプレート６６が示されている。例示的ピンバー１４の各々は、規定されたサイズの開口部３０を含み、ベーステンプレート６６は、ピンバー１４がベーステンプレート６６の溝７０内でその場に留められるように、ピンバー１４中の開口部３０と望ましいきつさの干渉フィットを提供するようなサイズとされた複数の円形ボス６８を含む。ピンバー１４とベーステンプレート６６のボスの間の干渉フィットは、望ましい装着可能なアイテムの使用および構築中の分離を防止するために、ベースへの積極的な載置および取り付けを確かにする。
【００２５】
図１８、１９および２０を参照すると、ベーステンプレート６６は、第１および第２の端部７２、７４と、第１および第２の端部７２、７４の間の第１および第２のサイド７６、７８を含む。第１の端部７２が雄ジョイント８２を含み、第２の端部７４が対応する雌ジョイント８０を含む。第１のサイド７６が雄ジョイント８２を含み、第２のサイド７８が雌ジョイント８０を含む。拡張された能力を提供するように、交番するサイドがいくつかのベーステンプレート６６のお互いとの取り付けを提供する。
【００２６】
図１９は、ジョイント８４によって横並びの構成にお互いに接続された２つのベーステンプレート６６を描いている。図２０は、ジョイント８４によってエンドツーエンドの構成にお互いに接続された２つのベーステンプレート６６を描いている。分かる通り、多くの異なる望ましい構成を形成するように、あらゆる数のベーステンプレート６６がお互いにしっかり取り付けられることができる。異なる構成は、装着可能なアイテムの異なる形状および構成を作成するための多くのオプションを提供する。
【００２７】
従って、例示的キットおよび方法は、ブレスレット、ネックレスおよびその他の装着可能なアイテムの作成のためにブルニアンリンクの多くの異なる組み合わせおよび構成の作成を提供する。しかも、例示的キットは、潜在的なブルニアンリンク作成の能力を更に作り出して拡張するために拡張可能である。更には、例示的キットは、そのようなリンクおよびアイテムの簡単なやり方での作成を提供して、様々な技量レベルの人々に独自の装着可能なアイテムを成功裡に作成することを許容する。
【００２８】
例示的実施形態が開示されたが、いくつかの変形がこの開示の範囲内に入るであろうことを当業者は理解するであろう。このため、この発明の範囲と内容を決定するためには以下の請求項が検討されるべきである。
【図１】
0005514962.tif 000002
【図２】
0005514962.tif 000003
【図３】
0005514962.tif 000004
【図４】
0005514962.tif 000005
【図５Ａ】
0005514962.tif 000006
【図５Ｂ】
0005514962.tif 000007
【図６】
0005514962.tif 000008
【図７】
0005514962.tif 000009
【図８】
0005514962.tif 000010
【図９】
0005514962.tif 000011
【図１０Ａ】
0005514962.tif 000012
【図１０Ｂ】
0005514962.tif 000013
【図１１Ａ】
0005514962.tif 000014
【図１１Ｂ】
0005514962.tif 000015
【図１２】
0005514962.tif 000016
【図１３】
0005514962.tif 000017
【図１４Ａ】
0005514962.tif 000018
【図１４Ｂ】
0005514962.tif 000019
【図１４Ｃ】
0005514962.tif 000020
【図１５】
0005514962.tif 000021
【図１６】
0005514962.tif 000022
【図１７】
0005514962.tif 000023
【図１８】
0005514962.tif 000024
【図１９】
0005514962.tif 000025
【図２０】
0005514962.tif 000026